(57)【特許請求の範囲】
【請求項１】
書類の署名や捺印箇所などの特定箇所を指示する付箋であって、
該特定箇所を囲繞するための辺部により窓部が形成され、該辺部の表面にメモなどが表示され得る指示部と、
該指示部を構成する辺部のうち一つの辺部から延在し前記書類から端部がはみ出して該付箋が添付されたページの目印となり得る本体部と、
を有し、
該本体部は、該一つの辺部の長手方向に連続的に延出するように構成される、
付箋。
【請求項２】
前記本体部と前記辺部における前記長手方向と直交する方向の幅は、
略同一に構成される、ことを特徴とする請求項１に記載の付箋。
【請求項３】
前記指示部において前記窓部を形成する部位の一部が窓部の内外を連通すべく開口箇所が設けられ、前記書類の端部に前記特定箇所がある場合において、該開口箇所を該書類の端部側に配置することにより、該指示部を該書類からはみ出すことなく配置可能とする、
ことを特徴とする請求項１又は請求項２記載の付箋。
【請求項４】
一部又は全体が透明又は半透明な素材で形成される、
ことを特徴とする請求項１乃至請求項３のいずれか一項に記載の付箋。
【発明の詳細な説明】
【技術分野】
【０００１】
本発明は、書類の署名又は捺印箇所などを指示するために用いる貼着・剥離自在な付箋に関する。
【背景技術】
【０００２】
従来、事務仕事等のビジネスシーンにおいて、メモを書き記す目的や、特定の箇所を指示する目的等に付箋が利用されている。一般的な付箋の形態として、特許文献１のように略長方形の片状をなす紙片の長手方向一端側裏面に粘着剤層が設けられるものを複数枚積層し、これを積層体の単位で市販されるものが知られている。付箋を利用する際には、一枚ずつ積層体から引き剥がして必要な箇所に貼付するようになっている。
【０００３】
特許文献１では、表面に模様を付すことでファッション性を持たせた形態が開示されている。特許文献２では、矢印形に形成された付箋により、捺印箇所などの特定の位置を指し示す形態が開示されている。
【先行技術文献】
【特許文献】
【０００４】
【特許文献１】特開平１１−３４２６９０号公報
【特許文献２】実用新案登録第３０８１３９０号公報
【発明の概要】
【発明が解決しようとする課題】
【０００５】
ところで、例えば、契約書類においては署名箇所や捺印箇所が存在するものであり、契約書類の作成者と、実際に署名、捺印をする人物が異なる場合には、後者に対して署名箇所や捺印箇所を明示するために、紙面に付箋を付して指し示したり、鉛筆で直接書き込むことが行われるものであった。
【０００６】
しかしながら、従来の付箋においては、例えば、特許文献２に開示される形態を用いたとしても、署名箇所などを指し示す、つまりは、先端が尖った矢印状のもので指し示すものとなることから、付箋だけによって特定の範囲を明示することは困難である。このため、正しい箇所に確実に署名や捺印などがなされない可能性があり、場合によっては契約書類の作成者が意図した位置とずれた位置に署名、捺印がなされてしまうことがある。このような場合には、署名、捺印のやり直しや、訂正印の押印などの多くの修正作業を強いられることになる。
【０００７】
一方で、鉛筆を用いることによれば、特定の範囲を取囲むなどにより署名箇所などを明示することが可能となるため、上記の位置ずれの可能性は少なくなる。しかしながら、当然に鉛筆でなされた筆記部分を消しゴムで消す必要が生じるため、手間を要するとともに、紙面が汚れてしまうという問題も生じることになる。
【０００８】
そこで、本発明は、署名箇所や捺印箇所などをより厳密に明示可能な付箋を提案するものである。
【課題を解決するための手段】
【０００９】
請求項１に記載の発明によると、書類の署名や捺印箇所などの特定箇所を指示する付箋であって、該特定箇所を囲繞するための辺部により窓部が形成され、該辺部の表面にメモなどが表示され得る指示部と、該指示部を構成する辺部のうち一つの辺部から延在し前記書類から端部がはみ出して該付箋が添付されたページの目印となり得る本体部と、を有し、該本体部は、該一つの辺部の長手方向に連続的に延出するように構成される、付箋が提供される。
【００１０】
好ましくは、前記本体部と前記辺部における前記長手方向と直交する方向の幅は、略同一に構成される。
【００１１】
さらに好ましくは、前記指示部において前記窓部を形成する部位の一部が窓部の内外を連通すべく開口箇所が設けられ、前記書類の端部に前記特定箇所がある場合において、該開口箇所を該書類の端部側に配置することにより、該指示部を該書類からはみ出すことなく配置可能とする。
【００１４】
さらに好ましくは、一部又は全体が透明又は半透明な素材で形成される。
【発明の効果】
【００１５】
本発明によると、署名、捺印などの特定箇所が窓部内であることを厳密に明示することが可能となり、正しい箇所に署名、捺印などが確実になされることになる可能となる。
【図面の簡単な説明】
【００１６】
【図１】（Ａ）は実施例１の付箋の表面について示す図。（Ｂ）は実施例１の付箋の裏面について示す図。
【図２】（Ａ）は実施例１において複数ページからなる契約書類から本体部をはみ出させる使用形態について示す図。（Ｂ）は実施例１において本体部が付箋が貼付されたページの目印となる様子について示す図。
【図３】（Ａ）は実施例２の付箋の表面について示す図。（Ｂ）は実施例２の付箋の裏面について示す図。
【図４】製本テープにて袋とじされた契約書類について割印を施す場合の例について示す図。
【図５】（Ａ）は実施例２において複数ページからなる契約書類から本体部をはみ出させる使用形態について示す図。（Ｂ）は実施例２において本体部が付箋が貼付されたページの目印となる様子について示す図。
【図６】実施例３の付箋の構成について示す図。
【図７】（Ａ）は実施例３において複数ページからなる契約書類から本体部をはみ出させる使用形態について示す図。（Ｂ）は実施例３において本体部が付箋が貼付されたページの目印となる様子について示す図。
【図８】実施例４の付箋の構成について示す図。
【図９】横長の窓部を構成する例について示す図。
【発明を実施するための形態】
【００１７】
本発明は、書類の署名や捺印箇所などの特定箇所を指示する付箋であって、特定箇所を囲繞する窓部が形成され得る指示部を有する付箋とするものである。これにより、特定箇所が窓部内であることを厳密に明示することが可能となり、正しい箇所に署名、捺印などが確実になされることになる。以下、実施例を用いて詳細に説明する。
【実施例１】
【００１８】
図１（Ａ）（Ｂ）に示すように、実施例１の付箋１０は、指示部１１と、本体部１２を有して構成される。付箋１０の素材については特に限定されるものではないが、例えば、表面への書き込みや、廃棄などの観点から、紙、或いは、書き込み可能な樹脂フィルムなどを用いることが考えられる。
【００１９】
指示部１１には、紙面１３上の特定箇所１４を囲繞することを目的として、窓部１１ａが形成されている。この窓部１１ａは貫通しており、窓部１１ａを通して特定箇所１４に直接捺印（印影１５）などを行うことが可能である。
【００２０】
窓部１１ａは、横辺部１１ｂ，１１ｃ、及び縦辺部１１ｄ，１１ｅの四辺から略正方形に構成されており、図１（Ａ）に示すように、各辺部の表面には、任意にメモ１６を書き込むことが可能である。なお、メモ１６などの文字、図形やしるしなどは予め印字されるものであってもよい。
【００２１】
一方、図１（Ｂ）に示すように、指示部１１の各辺部の裏面には、接着剤層１７が設けられている。この接着剤層１７は、紙面１３に対し指示部１１を貼着させるとともに、指示部１１を紙面から容易に剥離できるものとされる。付箋１０は、複数枚が積層された状態で提供され得るとともに、接着剤層１７にて互いが接着されてバラけないこととなる。
【００２２】
指示部１１からは、本体部１２が延出されている。本実施例の本体部１２は、指示部１１の横辺部１１ｂの位置から横方向に延出されて構成される。この本体部１２は、付箋１０を用いる際に摘まれることで、付箋１０の取り扱い性を良好なものとする。
【００２３】
さらに、図２（Ａ）に示すように、複数ページからなる契約書類１９などの場合において、本体部１２を紙面１３からはみ出させる使用形態とすることで、図２（Ｂ）に示すように、紙面１３が閉じられた状態においても、その紙面１３の存在箇所を明示する、つまりは、付箋１０が貼付されたページの目印とすることができる。
【００２４】
そして、このような使用形態によれば、紙面１３上における特定箇所１４を明示する機能と、複数ページがある中での紙面１３（特定箇所１４）の存在箇所を明示する機能の二つの機能を兼ね備えることができる。つまり、この二つの機能を単独の付箋で果たす場合には、二枚の付箋が必要となるが、本実施例の使用形態によれば、一枚の付箋にて済ますことができるのである。
【００２５】
以上の実施例１の形態においては、付箋１０を貼付したまま印鑑１（図２（Ａ））を用いた捺印を行うことができるため、正確な位置に捺印がなされることになる。捺印がなされた後は、適宜付箋１０を剥がすだけで捺印に関する作業を容易に終了することができる。なお、以上の説明では、捺印の例を持って説明したが、紙面に署名や、日付、チェック（しるし）などの書き込みを行う場合においても、本実施例１の付箋１０を活用することが可能である。
【実施例２】
【００２６】
図３（Ａ）（Ｂ）に示すように、実施例２の付箋２０は、指示部２１と、本体部２２を有して構成される。付箋２０の素材については特に限定されるものではないが、例えば、表面への書き込みや、廃棄などの観点から、紙、或いは、書き込み可能な樹脂フィルムなどを用いることが考えられる。
【００２７】
指示部２１には、紙面２３上の特定箇所２４を囲繞することを目的として、窓部２１ａが形成されている。この窓部２１ａは貫通しており、窓部２１ａを通して特定箇所２４に直接捺印（印影２５）などを行うことが可能である。
【００２８】
窓部２１ａは、横辺部２１ｂ、及び、横辺部２１ｂの両端側からそれぞれ一方向に伸びる縦辺部２１ｄ，２１ｅの三辺から略「コ」字状に構成されており、図３（Ａ）に示すように、各辺部の表面には、任意にメモ２６を書き込むことが可能である。なお、メモ２６などの文字、図形やしるしなどは予め印字されるものであってもよい。
【００２９】
ここで、特に、本実施例２においては、指示部２１が略「コ」字状に構成されることで、窓部２１ａの一部が開口する形態となっている。換言すれば、指示部２１において窓部２１ａを形成する部位の一部が窓部２１ａの内外を連通すべく開口箇所２１ｚが設けられる。これにより、この開口箇所２１ｚに重なる位置においても捺印することが可能となる。
【００３０】
このため、図４に示すように、例えば、製本テープ２８にて袋とじされた契約書類２９について割印２５ａを施す場合など、紙面の端部に近い箇所に捺印が要求される場合においては、開口箇所２１ｚを書類の端部側（図において製本テープ２８の右端側）に配置することにより、指示部２１を書類からはみ出すことなく配置可能となる。また、割印２５ａが捺印される特定箇所２４ａに指示部２１を被せることなく、特定箇所２４ａを明示することができ、付箋２０を貼着したまま割印２５ａを捺印することができる。
【００３１】
一方、図３（Ｂ）に示すように、指示部２１の各辺部の裏面には、接着剤層２７が設けられている。この接着剤層２７は、紙面２３に対し指示部２１を貼着させるとともに、指示部２１を紙面から容易に剥離できるものとされる。付箋２０は、複数枚が積層された状態で提供され得るとともに、接着剤層２７にて互いが接着されてバラけないこととなる。
【００３２】
指示部２１からは、本体部２２が延出されている。本実施例の本体部２２は、指示部２１の横辺部２１ｂの位置から横方向に延出されて構成される。この本体部２２は、付箋２０を用いる際に摘まれることで、付箋２０の取り扱い性を良好なものとする。
【００３３】
さらに、図５（Ａ）に示すように、複数ページからなる契約書類などの場合において、本体部２２を紙面２３からはみ出させる使用形態とすることで、図５（Ｂ）に示すように、紙面２３が閉じられた状態においても、その紙面２３の存在箇所を明示する、つまりは、付箋２０が貼付されたページの目印とすることができる。
【００３４】
そして、このような使用形態によれば、紙面２３上における特定箇所２４を明示する機能と、複数ページがある中での紙面２３（特定箇所２４）の存在箇所を明示する機能の二つの機能を兼ね備えることができる。つまり、この二つの機能を単独の付箋で果たす場合には、二枚の付箋が必要となるが、本実施例の使用形態によれば、一枚の付箋にて済ますことができるのである。
【００３５】
以上の実施例２の形態においては、付箋２０を貼付したまま印鑑１（図５（Ａ））を用いた捺印を行うことができるため、正確な位置に捺印がなされることになる。捺印がなされた後は、適宜付箋２０を剥がすだけで捺印に関する作業を容易に終了することができる。なお、以上の説明では、捺印の例を持って説明したが、紙面に署名や、日付、チェック（しるし）などの書き込みを行う場合においても、本実施例２の付箋２０を活用することが可能である。
【００３６】
なお、実施例１の形態において、図１（Ａ）に示す横辺部１１ｃと、縦辺部１１ｄ，１１ｅの境界部にミシン目からなる分割線を入れておくことにより、実施例１と実施例２の形態のいずれも実施可能とする形態とすることも可能である。すなわち、指示部１１にミシン目からなる分離線が形成され、分離線によって窓部１１ａの一部を開口可能とするものである。
【実施例３】
【００３７】
図６に示すように、実施例３の付箋３０は、指示部３１と、本体部３２を有して構成される。付箋３０の素材については特に限定されるものではないが、例えば、表面への書き込みや、廃棄などの観点から、紙、或いは、書き込み可能な樹脂フィルムなどを用いることが考えられる。
【００３８】
指示部３１には、紙面３３上の特定箇所３４を囲繞することを目的として、図６の左側に示される形態のように四方が囲まれた窓部３１ｘや、図６の左側に示される形態のように三方が囲まれた窓部３１ｙが適宜形成され得る構成とすべく略長方形状としている。具体的には、指示部３１には縦横にミシン目からなる分割線３１ｍ，３１ｎが略等間隔で形成され、分割線３１ｍ，３１ｎによって複数のブロック３１ｖ，３１ｖが区画形成される。そして、このブロック３１ｖ，３１ｖの一部を残す、或いは、分離することによって、所望の形状の窓部が形成され得る構成としている。
【００３９】
例えば、図６の左側に示されるように、一つの例として形成される窓部３１ｘは、本体部３２、横辺部３１ｃ、及び縦辺部３１ｄ，３１ｅの四辺から略正方形に構成されており、各辺部の表面には、任意にメモを書き込むことが可能である。
【００４０】
加えて、図６の右側に示されるように、他の例として形成される窓部３１ｙは、横辺部３１ｂ、及び、横辺部３１ｂの両端側からそれぞれ一方向に伸びる縦辺部３１ｄ，３１ｅの三辺から略「コ」字状に構成されており、各辺部の表面には、任意にメモを書き込むことが可能である。なお、メモなどの文字、図形やしるしなどは予め印字されるものであってもよい。
【００４１】
さらに、ブロック３１ｖを分離して形成された窓部３１ｘ，３１ｙは貫通することになるため、窓部３１ｘ，３１ｙを通して特定箇所３４に直接捺印（印影３５）などを行うことが可能である。
【００４２】
ここで、特に、図６の右側に示される窓部３１ｙについては，指示部３１が略「コ」字状に構成されることで、窓部３１ｙの一部が開口する形態となっているため、この開口箇所３１ｚに重なる位置においても捺印することが可能となる。このため、実施例２において図５を用いて説明した場合と同様に、例えば、製本テープ２８にて袋とじされた契約書類２９について割印２５ａを施す場合など、紙面の端部に近い箇所に捺印が要求される場合においては、指示部３１を紙面からはみ出させることなく、また、割印２５ａが捺印される特定箇所２４ａに指示部２１を被せずに、特定箇所２４ａを明示することができ、付箋２０を貼着したまま割印２５ａを捺印することができる。
【００４３】
加えて、指示部３１を構成する各ブロック３１ｖの裏面には、接着剤層が設けられている。この接着剤層は、紙面に対し指示部３１を貼着させるとともに、指示部３１を紙面から容易に剥離できるものとされる。付箋３０は、複数枚が積層された状態で提供され得るとともに、接着剤層にて互いが接着されてバラけないこととなる。
【００４４】
指示部３１と連続して本体部３２が設けられている。本実施例の本体部３２は、略長方形状に構成される指示部３１の長辺部に並設されて設けられる。そして、図において指示部３１の右端側にある列のブロック３１ｖを除去することにより、棒状の指示部３１が形成され得るようになっている。
【００４５】
さらに、図７（Ａ）に示すように、複数ページからなる契約書類などの場合において、本体部３２を紙面３３からはみ出させる使用形態とすることで、図７（Ｂ）に示すように、紙面３３が閉じられた状態においても、その紙面３３の存在箇所を明示する、つまりは、付箋３０が貼付されたページの目印とすることができる。
【００４６】
このような使用形態によれば、紙面３３上における特定箇所３４を明示する機能と、複数ページがある中での紙面３３（特定箇所３４）の存在箇所を明示する機能の二つの機能を兼ね備えることができる。つまり、この二つの機能を単独の付箋で果たす場合には、二枚の付箋が必要となるが、本実施例の使用形態によれば、一枚の付箋にて済ますことができるのである。
【００４７】
以上の実施例３の形態においては、付箋３０を貼付したまま印鑑１（図７（Ａ））を用いた捺印を行うことができるため、正確な位置に捺印がなされることになる。捺印がなされた後は、適宜付箋３０を剥がすだけで捺印に関する作業を容易に終了することができる。なお、以上の説明では、捺印の例を持って説明したが、紙面に署名や、日付、チェック（しるし）などの書き込みを行う場合においても、本実施例３の付箋３０を活用することが可能である。
【実施例４】
【００４８】
図８に示すように、実施例４は、一部又は全部が透明、又は、半透明な素材で形成される付箋４０とする例である。この実施例４は、例えば、印影４５を特定のライン４６に近接した位置に正しく形成したい場合などにおいて、特に有効な実施形態となる。
【００４９】
捺印者は、付箋４０を通じてライン４６を視認できるため、このライン４６を目印として捺印をすることが可能となる。これにより、捺印者にとってストレスを感じさせることなく、安心感を与えた上での捺印作業を行ってもらうことが可能となる。
【００５０】
なお、本実施形態は、上述の各実施例１〜３と組み合わせて実施することが可能である。さらに、以上の説明では、捺印の例を持って説明したが、紙面に署名や、日付、チェック（しるし）などの書き込みを行う場合においても、本実施例４の付箋４０を活用することが可能である。
【００５１】
加えて、以上の各実施形態のほか、例えば、図９に具体的に示すように、横長の窓部５１を有する付箋５０の形態として、窓部５１の内側に署名を求めることを可能とする実施形態なども考えられる。
【符号の説明】
【００５２】
１０    付箋
１１    指示部
１１ａ    窓部
１１ｂ    横辺部
１１ｃ    横辺部
１１ｄ    縦辺部
１１ｅ    縦辺部
１２    本体部
１３    紙面
１４    特定箇所
１５    印影
１６    メモ
１７    接着剤層
【図１】
0005165783.tif 000002
【図２】
0005165783.tif 000003
【図３】
0005165783.tif 000004
【図４】
0005165783.tif 000005
【図５】
0005165783.tif 000006
【図６】
0005165783.tif 000007
【図７】
0005165783.tif 000008
【図８】
0005165783.tif 000009
【図９】
0005165783.tif 000010